(57)【特許請求の範囲】
【請求項１】
枠部と、前記枠部に着脱可能に設けられる遊技板と、前記枠部に設けられる電源基板と、前記遊技板に設けられる複数の制御基板を備え、
前記電源基板には、所定数の電源出力端子と、前記所定数の電源出力端子に少なくとも第１の電圧の電源および第２の電圧の電源を供給する電源回路が設けられており、
前記電源回路は、スイッチング回路により構成され、前記第１の電圧の電源を供給する安定化電源回路と、全波整流回路あるいは半波整流回路と平滑コンデンサにより構成され、前記第１の電圧の電源より安定性が低い前記第２の電圧の電源を供給する電源回路を有している遊技機であって、
前記第１の電圧の電源を供給する安定化電源回路は、前記第１の電圧の電源を用いて制御される被制御機器のうち、消費電力が小さい被制御機器の消費電力に対応する電源容量を有しており、
前記第２の電圧の電源を供給する電源回路は、前記第２の電圧の電源を用いて制御される被制御機器の消費電力に対応する電源容量より大きい電源容量を有しており、
前記第１の電圧の電源を用いて制御される被制御機器の消費電力が、前記消費電力が小さい被制御機器の消費電力より大きく、
前記複数の制御基板は、前記電源基板に直列に接続されており、
前記複数の制御基板のうちの最下流側の制御基板として、前記電源基板から供給される前記第１の電圧の電源および前記第２の電圧の電源のうちの前記第２の電圧の電源が入力される電源入力端子と、前記電源入力端子に入力される前記第２の電圧の電源を前記第１の電圧の電源に変換する変換回路が設けられており、前記変換回路から供給される前記第１の電圧の電源を用いて、前記消費電力が小さい被制御機器より消費電力が大きい被制御機器を制御する制御基板が用いられていることを特徴とする遊技機。
【発明の詳細な説明】
【０００１】
【発明の属する技術分野】
本発明は、遊技機に関する。特に、遊技機の各制御装置に電源を供給する電源装置に関する。
【０００２】
【従来の技術】
パチンコ機には、パチンコ機全体の動作を制御する主制御装置、賞球を制御する賞球制御装置、液晶ユニット等の表示ユニットを制御する表示制御装置、スピーカ等の音発生手段を制御する音制御装置、ランプを制御するランプ制御装置、各制御装置に種々の電圧の電源を供給する電源装置が設けられている。通常、これらの主制御装置、賞球制御装置、表示制御装置、音制御装置、ランプ制御装置、電源装置等は、制御回路等が配設された基板として構成されることが多い。
電源装置は、電圧が異なる複数の電源を供給する。例えば、制御回路を動作させるための電源（例えば、５Ｖの電源）、制御回路により制御される被制御機器（例えば、液晶ユニットやスピーカ等）を駆動するための電源（例えば、１２Ｖの電源と３４Ｖの電源）を供給する。
パチンコ機は、枠部と、枠部に着脱可能に設けられている遊技板（パネル）により構成されている。通常、電源基板は、共通的に使用できるため、枠部に設けられる。
なお、モデルチェンジ等の場合には枠部とパネルの両方が交換されるが、ゲーム内容の改良時等には遊技板及び表示制御装置のみが交換されることが多い。
【０００３】
【発明が解決しようとする課題】
ところで、近年、液晶ユニット等の表示ユニットに、迫力のある演出や複雑な演出等を行うことが要望されている。このような要望に答えるためには、パネルに設けられる液晶ユニットのサイズを増大する必要がある。液晶ユニットのサイズが大きくなると、液晶ユニットの消費電力が増大する。
また、スピーカ等の音発生手段から高レベルの音や高音質の音を発生させることが要望されている。このような要望に答えるためには、スピーカを駆動するパワーアンプの消費電力を増大する必要がある。
液晶ユニットやパワーアンプの消費電力が増大すると、電源回路（電源装置）から液晶ユニットやパワーアンプ等に供給する電源（例えば、１２Ｖの電源）の容量を大きくする必要がある。
一般的に、パチンコ機等の遊技機では、例えば、１２Ｖの電源の容量を大きくする場合には、３４Ｖの電源の容量を大きくする場合に比してコストがかかる。
具体的には、５Ｖの電源はＣＰＵ等の駆動電源として用いられ、１２Ｖの電源は液晶パネルの駆動電源として用いられる。このため、５Ｖの電源や１２Ｖの電源は、安定性が要求される。そこで、５Ｖの電源や１２Ｖの電源を供給する電源回路としては、スイッチング回路等を用いた高価な安定化電源回路が用いられる。また、液晶ユニットはもともと消費電力が大きいため、電源回路から液晶ユニットに供給する電源の容量は大きく設定されている。このような状況において、電源回路から液晶ユニットに供給する電源の容量をさらに大きくすることは、一段のコストの増加を招く。
これに対し、３４Ｖの電源は、入賞口を開閉する開閉部材等を駆動するソレノイドやモータ等の駆動電源として用いられため、５Ｖや１２Ｖの電源に比べて安定性が要求されない。そこで、３４Ｖの電源を供給する電源回路としては、交流電源を全波整流する全波整流回路あるいは半端整流する半波整流回路と平滑用のコンデンサ等により構成される安価な電源回路が用いられる。そのため、３４Ｖの電源の容量を増大しても、コストの増加はそれほど大きくはない。
一方、従来タイプの消費電力が小さい液晶ユニットやパワーアンプ等を使用しているパチンコ機も多く存在している。このような従来タイプのパチンコ機では、電源装置（電源回路）の１２Ｖの電源の容量を大きくする必要はない。このため、従来タイプのパチンコ機には、このようなコストの高い電源装置を用いるのは困難である。
そこで、本発明は、電源装置のコスト上昇を抑えながら、所定の被制御機器に供給する電源の容量を簡単に増大することができる遊技機を提供することを目的とする。
【０００４】
【課題を解決するための手段】
前記課題を解決するための本発明は、請求項１に記載されたとおりの遊技機である。
請求項１に記載の遊技機は、
枠部と、前記枠部に着脱可能に設けられる遊技板と、前記枠部に設けられる電源基板と、前記遊技板に設けられる複数の制御基板を備え、
前記電源基板には、所定数の電源出力端子と、前記所定数の電源出力端子に少なくとも第１の電圧の電源および第２の電圧の電源を供給する電源回路が設けられており、
前記電源回路は、スイッチング回路により構成され、前記第１の電圧の電源を供給する安定化電源回路と、全波整流回路あるいは半波整流回路と平滑コンデンサにより構成され、前記第１の電圧の電源より安定性が低い前記第２の電圧の電源を供給する電源回路を有している遊技機であって、
前記第１の電圧の電源を供給する安定化電源回路は、前記第１の電圧の電源を用いて制御される被制御機器のうち、消費電力が小さい被制御機器の消費電力に対応する電源容量を有しており、
前記第２の電圧の電源を供給する電源回路は、前記第２の電圧の電源を用いて制御される被制御機器の消費電力に対応する電源容量より大きい電源容量を有しており、
前記第１の電圧の電源を用いて制御される被制御機器の消費電力が、前記消費電力が小さい被制御機器の消費電力より大きく、
前記複数の制御基板は、前記電源基板に直列に接続されており、
前記複数の制御基板のうちの最下流側の制御基板として、前記電源基板から供給される前記第１の電圧の電源および前記第２の電圧の電源のうちの前記第２の電圧の電源が入力される電源入力端子と、前記電源入力端子に入力される前記第２の電圧の電源を前記第１の電圧の電源に変換する変換回路が設けられており、前記変換回路から供給される前記第１の電圧の電源を用いて前記消費電力が小さい被制御機器より消費電力が大きい被制御機器を制御する制御基板が用いられていることを特徴とする。
なお、「下流側」は、電源基板からの距離が長くなる方向をいう。
請求項１に記載の遊技機では、コストの安い第２の電圧の電源の容量を増大させて各制御基板に供給することができるため、電源装置（電源基板）のコストの上昇を抑えることができる。また、制御基板で用いる第１の電圧の電源の容量を増加させる必要がある場合には、対応する制御基板を交換するだけでよいため、作業が容易である。また、制御に用いる第１の電圧の電源の容量を増加させる制御基板は、変換回路を設けているだけであるため、回路が簡単である。
【０００５】
【発明の実施の形態】
以下に、本発明の実施の形態を図面を参照して説明する。以下では、本発明をパチンコ機に適用した場合について説明する。
図１、図２は、本発明の第１の実施の形態を説明する図である。ここで、図１は、電源入力端子に入力された第１の電圧の電源をそのまま用いる表示制御基板が接続されている状態を示している。また、図２は、電源入力端子に入力された第２の電圧の電源を変換回路により第１の電圧の電源に変換し、変換回路で変換した第１の電圧の電源を用いる表示制御基板が接続されている状態を示している。
【０００６】
本実施の形態のパチンコ機は、電源装置、賞球制御装置、主制御装置、副制御装置（音制御装置やランプ制御装置）、表示制御装置等を有している。
電源装置は、通常、電源基板１０として構成される。電源基板１０には、電源出力端子１０ａ〜１０ｃ、電源回路１０ｄ等が配設されている。
電源出力端子１０ａ〜１０ｃからは、パチンコ機の各構成要素で用いる電源（本実施の形態では、制御回路を動作させるための５Ｖの直流電源、液晶ユニットや音発生手段等の被制御機器を動作させるための１２Ｖ及び３４Ｖの直流電源）が出力される。１２Ｖの直流電源は、例えば、液晶ユニットやスピーカを駆動するパワーアンプの動作電源として用いられる。また、３４Ｖの直流電源は、例えば、遊技球が大入賞口に入賞し易い状態及び入賞し難い状態とする開閉部材を駆動するソレノイドや駆動モータ等の駆動電源として用いられる。
電源回路１０ｄは、例えば、入力電源（交流電源）を所定の電圧の電源（本実施の形態では、５Ｖ、１２Ｖ、３４Ｖの直流電源）に変換し、それぞれ電源出力端子１０ａ、１０ｂ、１０ｃに供給する。
なお、前述したように、パチンコ機では、１２Ｖの電源の容量を増大させる場合には、３４Ｖの電源の容量を増大させる場合よりコストがかかる。そこで、本実施の形態では、高価な１２Ｖの電源の容量を小さく設定し（例えば、従来設定されている電源容量程度）、安価な３４Ｖの電源の容量を大きく設定している。そして、消費電力の小さい被制御機器を制御する場合には、１２Ｖの電源を用いて被制御機器を制御する制御基板を使用する。一方、消費電力の大きい被制御機器を制御する場合には、３４Ｖの電源を用いて被制御機器を制御する制御基板を使用する。
【０００７】
主制御装置は、通常、主制御基板１２として構成される。主制御基板１２には、電源入力端子１２ａ〜１２ｃ、電源出力端子１２ｄ〜１２ｆ、主制御回路（図示省略）等が配設されている。主制御基板１２の電源入力端子１２ａ〜１２ｃには、それぞれ５Ｖ、１２Ｖ、３４Ｖの直流電源が供給される（図１では、上流側に設けられている賞球制御基板１１の電源出力端子１１ｄ〜１１ｆに接続されている）。また、電源入力端子１２ａ〜１２ｃは、それぞれ電源出力端子１２ｄ〜１２ｆに接続されている。これにより、主制御基板１２は、５Ｖ、１２Ｖ、３４Ｖの電源を中継する機能を備えている。
主制御回路（主制御装置）は、パチンコ機全体の動作を制御する。例えば、遊技球が入賞口に入賞して入賞検出信号が入力されると、遊技球が入賞した入賞口に対応する賞球数の払出を指示する払出コマンド信号を賞球制御装置に出力する。あるいは、所定の始動条件が満足されて始動信号が入力されると、抽選を行い、抽選結果に対応した図柄変動パターンを示す変動パターンコマンド信号、抽選結果に対応した停止図柄を示す図柄コマンド信号を表示制御装置に出力する。また、抽選結果が当たりの場合には、遊技者に有利な特別遊技状態を発生させる。例えば、大入賞口に設けられている開閉部材を制御する開閉部材駆動回路（開閉部材制御回路）に制御信号を出力し、開閉部材を開制御または開閉制御して、遊技球が大入賞口に入り易くする。
【０００８】
賞球制御装置は、通常、賞球制御基板１１として構成される。賞球制御基板１１には、電源入力端子１１ａ〜１１ｃ、電源出力端子１１ｄ〜１１ｆ、賞球制御回路（図示省略）が配設されている。賞球制御基板１１の電源入力端子１１ａ〜１１ｃには、それぞれ５Ｖ、１２Ｖ、３４Ｖの直流電源が供給される（図１では、上流側に設けられている電源基板１０の電源出力端子１０ａ〜１０ｃに接続されている）。また、電源入力端子１１ａ〜１１ｃは、それぞれ電源出力端子１１ｄ〜１１ｆに接続されている。これにより、賞球制御基板１１は、５Ｖ、１２Ｖ、３４Ｖの電源を中継する機能を備える。
賞球制御回路（賞球制御装置）は、パチンコ機の払出に関する動作を制御する。すなわち、賞球制御回路（賞球制御装置）は、被制御機器としての払出装置（図示省略）を制御し、主制御回路（主制御装置）から出力される払出コマンド信号で示されている賞球数の遊技球を払い出す。
【０００９】
副制御装置は、通常、副制御基板１３として構成される。副制御装置は、例えば、被制御機器としてのスピーカ等の音発生手段を制御する音制御装置（図示省略）、被制御機器としてのランプ等を制御するランプ制御装置（図示省略）として構成することができる。
副制御基板１３には、電源入力端子１３ａ〜１３ｃ、電源出力端子１３ｄ〜１３ｆ、副制御回路（音制御回路、ランプ制御回路）（図示省略）が配設されている。副制御基板１３の電源入力端子１３ａ〜１３ｃには、それぞれ５Ｖ、１２Ｖ、３４Ｖの直流電源が供給される（図１では、上流側に設けられている主制御基板１２の電源出力端子１２ｄ〜１２ｆに接続されている）。また、電源入力端子１３ａ〜１３ｃは、それぞれ電源出力端子１３ｄ〜１３ｆに接続されている。これにより、副制御基板１３は、５Ｖ、１２Ｖ、３４Ｖの電源を中継する機能を備える。
副制御回路（副制御装置）は、パチンコ機に設けられているスピーカやランプの作動／停止に関する動作を制御する。すなわち、副制御回路（副制御装置）は、主制御回路（主制御装置）からのコマンド信号に基づいて、スピーカやランプを制御する。
【００１０】
表示制御装置は、通常、表示制御基板として構成される。本実施の形態では、表示制御基板１４（図１参照）または２４（図２参照）として構成される。
表示制御基板１４は、消費電力の小さい液晶ユニット１５を制御するためのものである。表示制御基板１４には、電源入力端子１４ａ、１４ｂ、駆動端子１４ｃ、表示制御回路（図示省略）が配設されている。
ここで、消費電力の小さい液晶ユニット１５を制御する場合には、容量の小さい１２Ｖの電源を用いることができる。そのため、表示制御基板１４では、電源入力端子１４ａ、１４ｂにそれぞれ電圧５Ｖ、１２Ｖの電源を入力し（図１では、上流側の副制御基板１３の５Ｖ、１２Ｖの電源出力端子１３ｄ、１３ｅと接続している）、電圧３４Ｖの電源を入力していない。そして、電源入力端子１４ｂを駆動端子１４ｃに接続している。駆動端子１４ｃには、液晶ユニット１５の接続端子１５ａが接続される。これにより、表示制御基板１４は、１２Ｖの電源をそのまま用いて消費電力の小さい液晶ユニット１５を制御する。
【００１１】
一方、消費電力の大きい液晶ユニット２５を制御する場合には、容量の大きい電源を用いる必要がある。表示制御基板２４は、消費電力の大きい液晶ユニット２５を制御するためのものである。表示制御基板２４には、電源入力端子２４ａ、２４ｂ、駆動端子２４ｃ、表示制御回路（図示省略）等が配設されている。
ここで、表示制御基板２４では、容量の大きい３４Ｖの電源を用いている。すなわち、表示制御基板２４では、電源入力端子２４ａ、２４ｂにそれぞれ電圧５Ｖ、３４Ｖの電源を入力し（図２では、上流側の副制御基板１３の５Ｖ、３４Ｖの電源出力端子１３ｄ、１３ｆと接続している）、電圧１２Ｖの電源を入力していない。そして、変換回路２４ｄにより、電源入力端子２４ｂに供給された３４Ｖの電力を１２Ｖの電力に変換する。変換回路２４ｄで変換された１２Ｖの電源は、駆動端子２４ｃに供給される。駆動端子２４ｃには、液晶ユニット２５の接続端子２５ａが接続される。これにより、表示制御基板２４では、３４Ｖの電源を変換して得た容量の大きい１２Ｖの電源を用いて液晶ユニット２５を制御する。
【００１２】
本実施の形態では、賞球制御基板１１、主制御基板１２、副制御基板１３が本発明の制御基板に対応し、表示制御基板１４が本発明の第３の制御基板に対応し、表示制御回路２４が本発明の第４の制御基板に対応する。
【００１３】
以上のように、本実施の形態では、賞球制御基板、主制御基板、副制御基板等の制御基板には、電源基板から供給される電源の数に対応する所定数の電源入力端子及び電源出力端子を設け、電源基板に複数の制御基板を直列に接続している。これにより、各制御基板は必要な電源を容易に選択することができる。
また、最下流の制御基板まで所定数の電源が中継されているため、被制御機器の消費電力に応じて第３の制御基板または第４の制御基板を最下流側の制御基板として用いることができる。これにより、被制御機器の消費電力の増大に対して簡単に対処することができる。また、安価な電源の容量を増大させることができるため、電源装置のコスト上昇を抑えることができる。
【００１４】
なお、第１の実施の形態では、最下流側の制御基板として表示制御基板を用いたが、最下流側の制御基板としては表示制御基板意外の種々の制御基板を用いることができる。
例えば、音の高レベル化や高音質化の要望に伴ってスピーカのパワーアンプの消費電力を増大させる場合にも適用することができる。この場合には、最下流の制御基板として音制御基板を用いる。そして、パワーアンプの消費電力が小さい場合には、表示制御基板１４と同様の構成の音制御基板を用い、パワーアンプの消費電力が大きい場合には、表示制御基板２４と同様の構成の音制御基板を用いる。
また、開閉部材を駆動するソレノイドやモータ等の駆動手段に供給する駆動電力を変更する場合、例えば、駆動電力の電圧を３４Ｖから１２Ｖにまたはその逆に変更する場合にも適用することができる。例えば、開閉部材を駆動するモータとして、３４Ｖの電源で駆動されるモータから１２Ｖの電源で駆動されるモータに変更する場合には、モータの出力を増大させるために１２Ｖの電源の容量を大きくする必要がある。このような場合には、安価な３４Ｖの電源の容量を大きくし、変換回路で３４Ｖの電源を１２Ｖの電源に変換し、変換回路で変換された１２Ｖの電源でモータを駆動する。
【００１５】
第１の実施の形態では、電源基板に対して制御基板を直列に接続し、最下流側の制御基板として、被制御機器の消費電力に応じて第３の制御基板または第４の制御基板を用いたが、直列に接続した各制御基板を、被制御機器の消費電力等に応じて交換可能に構成することもできる。
次に、本発明の第２の実施の形態を、図３、図４に示す。ここで、図３は、消費電力が小さい液晶ユニット１５を制御する表示制御基板３４を示している。また、図４は、消費電力が大きい液晶ユニット２５を制御する表示制御基板４４を示している。
図３に示す表示制御基板３４には、前段の基板の電源出力端子に接続可能な電源入力端子３４ａ、３４ｂ、３４ｃ、後段の基板の電源入力端子に接続可能な電源出力端子３４ｄ、３４ｅ、３４ｆ、液晶ユニットの接続端子１５ａと接続可能な駆動端子３４ｇ、表示制御回路（図示省略）が配設されている。表示制御基板３４では、電圧３４Ｖの電源は使用せず、後段の基板に中継するだけである。
一方、図４に示す表示制御基板４４には、電源入力端子４４ｃに入力される３４Ｖの電源を１２Ｖの電源に変換する変換回路４４ｈが設けられている。変換回路４４ｈで変換された１２Ｖの電源は、駆動端子４４ｇに供給される。
表示制御基板４４では、電圧１２Ｖの電源は使用せず、後段の基板に中継するだけである。
【００１６】
本実施の形態では、表示制御基板３４が本発明の第１の制御基板に対応し、表示制御基板４４が本発明の第２の制御基板に対応する。
【００１７】
本実施の形態では、第１の実施の形態と同様の効果を有している。
また、第１の実施の形態のように最下流側の制御基板だけでなく、電源基板の電源出力端子に直列に接続された制御基板の中の任意の制御基板を他の制御基板に無関係に交換することができるため、被制御機器の消費電力の変化に対して容易に対処することができる。
なお、第１の実施の形態で説明した変更例は、第２の実施の形態に対しても適用することができる。
【００１８】
以上の実施の形態では、制御基板を電源基板に直列に接続する場合について説明したが、制御基板を電源基板に並列に接続することもできる。
次に、第３の実施の形態を図５、図６に示す。ここで、図５は、消費電力が小さい液晶ユニットを制御する表示制御基板、消費電力が小さいパワーアンプを用いた音制御基板を電源基板に接続した状態を示している。
本実施の形態のパチンコ機は、電源装置、主制御装置、賞球制御装置、表示制御装置、音制御装置、ランプ制御装置等を有している。電源装置、主制御装置、賞球制御装置、表示制御装置、音制御装置、ランプ制御装置は、それぞれ電源基板５０、主制御基板５１、賞球制御基板５２、表示制御基板５３、音制御基板５５、ランプ制御基板５７に配設されている。
電源基板５０には、電源出力端子５０ａ、５０ｂ、５０ｃ、電源回路５０ｄが配設されている。電源出力端子５０ａ、５０ｂ、５０ｃには、異なる電圧の電源、例えば、５Ｖ、１２Ｖ、３４Ｖの電源が供給される。この場合も、電源出力端子５０ｂから出力される１２Ｖの電源の容量は小さく、安価である３４Ｖの電源の容量は大きく設定されている。
主制御基板５１は、電源入力端子５１ａ〜５１ｃに入力される５Ｖ、１２Ｖ、３４Ｖの電源を用いる（電源基板５０の電源出力端子５０ａ、５０ｂ、５０ｃに接続されている）。
賞球制御基板５２は、電源入力端子５２ａ〜５２ｃに入力される５Ｖ、１２Ｖ、３４Ｖの電源を用いる。
ランプ制御基板５７は、電源入力端子５７ａ〜５７ｃに入力される５Ｖ、１２Ｖ、３４Ｖの電源を用いる。
【００１９】
表示制御基板５３は、消費電力が小さい液晶ユニット５４を制御するものである。表示制御基板５３には、電源入力端子５３ａ、５３ｂ、駆動端子５３ｃ、表示制御回路（図示省略）が配設されている。
ここで、液晶ユニット５４の消費電力が小さいため、表示制御基板５３の電源入力端子５３ａ、５３ｂには、それぞれ５Ｖ、１２Ｖの電源が入力される（電源基板５０の電源出力端子５０ａ、５０ｂに接続されている）。そして、表示制御基板５３は、電源入力端子５３ｂに入力された１２Ｖの電源をそのまま用いて液晶ユニット５４を制御する。
また、音制御基板５５には、電源入力端子５５ａ、５５ｂ、駆動端子５５ｃ、スピーカ５６に電源を供給するパワーアンプ５５ｄ、音制御回路（図示省略）が配設されている。
ここで、音制御基板５５は、消費電力が小さいパワーアンプ５５ｄを用いている。このため、音制御基板５５の電源入力端子５５ａ、５５ｂは、それぞれ５Ｖ、１２Ｖの電源が入力される（電源基板５０の電源出力端子５０ａ、５０ｂに接続されている）。
【００２０】
一方、液晶ユニットとして消費電力が大きい液晶ユニット６４を用いる場合には、図６に示すように、液晶ユニット６４を制御する表示制御基板６３の電源入力端子６３ａ、６３ｂには、それぞれ５Ｖ、３４Ｖの電源が入力される（電源基板５０の電源出力端子５０ａ、５０ｃに接続されている）。
さらに、表示制御基板６３には、電源入力端子６３ｂに入力された３４Ｖの電源を１２Ｖの電源に変換する変換回路６３ｄが設けられている。これにより、変換回路６３ｄで変換された１２Ｖの電源が、駆動端子６３ｃ、接続端子６４ａを介して液晶ユニット６４に供給される。
また、パワーアンプとして消費電力が大きいパワーアンプ６５ｄを用いる場合には、音制御基板６５の電源入力端子６５ａ、６５ｂには、それぞれ５Ｖ、３４Ｖの電源が入力される（電源基板５０の電源出力端子５０ａ、５０ｃに接続されている）。
さらに、音制御基板６５には、電源入力端子６５ｂに入力された３４Ｖの電源を１２Ｖの電源に変換する変換回路６５ｅが設けられている。これにより、変換回路６５ｅで変換された１２Ｖの電源が、パワーアンプ６５ｄ、駆動端子６５ｃを介してスピーカ６６に供給される。
【００２１】
第３の実施の形態では、電源基板の電源出力端子に各制御基板を並列に接続しているため、被制御機器の消費電力に応じて制御基板を容易に交換することができる。
また、表示制御基板５３、音制御基板５５では３４Ｖの電源を入力するための電源入力端子を、表示制御基板６３、音制御基板６５では１２Ｖの電源を入力するための電源入力端子を省略することができる。これにより、表示制御基板や音制御基板の構成を簡単にすることができる。
なお、第１の実施の形態や第２の実施の形態で説明した変更例は第３の実施の形態にも適用することができる。
【００２２】
第１の実施の形態では、少なくとも最下流の制御基板（例えば、表示制御基板１４または２４）以外の制御基板（例えば、制御基板１１〜１３）に全ての電圧の電源（例えば、５Ｖ、１２Ｖ、３４Ｖの電源）を中継する機能を持たせて各制御基板を電源基板に直列に接続したが、直列に接続する制御基板の構成はこれに限定されない。
直列に接続する制御基板の構成を変更した第４の実施の形態を図７、図８に示す。本実施の形態では、制御基板をグループ分けし、各制御基板をグループ毎に直列に接続している。グループ分けする方法としては、例えば、所定の電圧の電源（例えば、パチンコ機では、コストが高い１２Ｖの電圧の電源）を用いて被制御機器を制御し、且つ、消費電力が異なる被制御機器を制御する可能性がある制御基板を第１のグループの制御基板とし、それ以外の制御基板を第２のグループの制御基板とする。図７、図８に示す実施の形態では、ランプ制御基板と表示制御基板を第１のグループの制御基板に設定し、賞球制御基板（図示省略）と主制御基板を第２のグループの制御基板に設定している。
そして、電源基板に、第２のグループの制御基板（この場合、賞球制御基板と主制御基板）を直列に接続する（接続順序は任意に設定可能）。
次に、第２のグループの制御基板の最下流側の制御基板（図７では、主制御基板１１１）に、第１のグループの制御基板（ランプ制御基板と表示制御基板）を直列に接続する（接続順序は任意に設定可能）。
【００２３】
本実施の形態では、第２のグループの制御基板は、電源基板から出力される所定数の電圧の電源を中継する機能を備えている。すなわち、第２のグループの制御基板には、電源基板から出力される所定数の電圧の電源が入力される電源入力端子と、所定数の電源入力端子に接続されている所定数の電源出力端子が設けられている。
一方、第１のグループの制御基板は、少なくとも所定の電圧の電源を下流側に出力する機能（所定の電圧の電源が入力され、所定の電圧の電源を下流側に出力する機能、あるいは、所定の電圧と異なる電圧の電源が入力され、所定の電圧の電源に変換して下流側に出力する機能）（以下、これらを総称して「所定の電圧の電源を中継する機能」という）は備えているが、所定数の電圧の電源全てを中継する機能は備えていない。
【００２４】
そして、少なくとも、第１のグループの制御基板のうち最上流側の制御基板は、第１のグループの制御基板によって制御される被制御機器の消費電力に応じて交換される。
例えば、消費電量が小さいランプユニット１１３、消費電力が小さい液晶ユニット１１５を用いる場合には、第１のグループの最上流側の制御基板であるランプ制御基板として、例えば、図７に示すランプ制御基板１１２が用いられる。また、表示制御基板として、図７に示す表示制御基板１１４が用いられる。
ここで、ランプ制御基板１１２の電源入力端子１１２ａ、１１２ｂは、第２のグループの最下流側の制御基板である主制御基板１１１の電源出力端子１１１ｄ、１１１ｅに接続され、それぞれ５Ｖ及び１２Ｖの電源が入力される。ランプ制御基板１１２の電源出力端子１１２ｃ、１１２ｄは、電源入力端子１１２ａ、１１２ｂと接続されており、それぞれ５Ｖ及び１２Ｖの電源を出力する。ランプ制御基板１１２では、電源入力端子１１２ｂから入力された所定の電圧の電源（この場合、１２Ｖの電源）をそのまま用いてランプユニット１１３を制御する。
表示制御基板１１４の電源入力端子１１４ａ、１１４ｂは、ランプ制御基板１１２の電源出力端子１１２ｃ、１１２ｄと接続され、それぞれ５Ｖ及び１２Ｖの電源が入力される。表示制御基板１１４では、電源入力端子１１４ｂから入力された所定の電圧の電源（この場合、１２Ｖの電源）をそのまま用いて液晶ユニット１１５を制御する。
【００２５】
一方、消費電力が大きいランプユニット１２３または消費電力が大きい液晶ユニット１２５の少なくとも一方を用いる場合には、第１のグループの最上流側の制御基板を、消費電力が高い被制御機器を安価な電源で制御可能な制御基板に交換する。図７では、ランプ制御基板としてランプ制御基板１２２を用いる。なお、消費電力が大きい液晶ユニット１２５を用いる場合には、液晶ユニット１２５を制御可能な表示制御基板１２４を用いる。
ここで、ランプ制御基板１２２の電源入力端子１２２ａ、１２２ｂは、第２のグループの最下流側の制御基板である主制御基板１１１の電源出力端子１１１ｄ、１１１ｆが接続され、それぞれ５Ｖ及び３４Ｖの電源が入力される。ランプ制御基板１２２の電源入力端子１２２ｂには、電源入力端子１２２ｂに入力される電源（この場合、３４Ｖの電源）を所定の電圧の電源（この場合、１２Ｖの電源）に変換する変換回路１２２ｆが接続されている。変換回路１２２ｆで変換された１２Ｖの電源は電源出力端子１２２ｄ及び制御端子１２２ｅに供給される。また、ランプ制御基板１２２の電源出力端子１２２ｃは、電源入力端子１２２ａに接続されている。
これにより、ランプユニット１２３は、変換回路１２２ｆで３４Ｖの電源から変換された１２Ｖの電源により制御される。
また、表示制御基板１２４の電源入力端子１２４ａ、１２４ｂは、ランプ制御基板１２２の電源出力端子１２２ｃ、１２２ｄと接続され、それぞれ５Ｖ及び変換回路１２２ｆで変換された１２Ｖの電源が入力される。
表示制御基板１２４は、電源入力端子１２４ｂから入力された１２Ｖの電源を用いて液晶ユニット１２５を制御する。
なお、第１のグループの最上流側の制御基板（図７では、ランプ制御基板）以外の制御基板（図７では、表示制御基板）として、種々の消費電力の被制御機器を制御可能な制御基板が用いられている場合には、第１のグループの最上流側の制御基板を交換するだけで対処することができる。
【００２６】
以上のように、本実施の形態では、第１の電圧の電源を用いて被制御機器を制御し、且つ、消費電力が異なる被制御機器を制御する可能性がある制御基板を第１グループの制御基板に設定し、それ以外の制御基板を第２のグループの制御基板に設定する。電源基板には、第２のグループの制御基板と第１のグループの制御基板をこの順序で直列に接続する。そして、第１のグループのいずれか１つの制御基板が消費電力が大きい被制御機器を制御する場合には、第１のグループの最上流側の制御基板として、電源入力端子から入力される第２の電圧の電源を第１の電圧と同じ電圧の電源に変換する変換回路を有し、変換回路からの電源を用いて被制御機器を制御するとともに、変換回路からの電源を電源出力端子に供給する制御基板を用いる。第１のグループの最上流側の制御基板以外の制御基板としては、第１の電圧の電源が入力される電源入力端子が設けられ、電源入力端子から入力された第１の電圧の電源を用いて被制御機器を制御する制御基板を用いる。あるいは、第１の電圧の電源が入力される電源入力端子と、電源入力端子に接続される電源出力端子が設けられ、電源入力端子から入力された第１の電圧の電源を用いて被制御機器を制御する制御基板を用いる。
本実施の形態においても、前述した効果を有する。
【００２７】
また、第３の実施の形態では、各制御基板を電源基板に並列に接続したが、並列接続と直列接続の組み合わせを用いて各制御基板を電源基板に接続することもできる。
並列接続と直列接続を組み合わせて制御基板を電源基板に接続した第５の実施の形態を図９、図１０に示す。
本実施の形態では、第４の実施の形態で説明した第２グループの制御基板（図９、図１０では、賞球制御基板１３１と主制御基板１３２）を電源基板の電源出力端子に並列に接続している。そして、第２のグループの中のいずれかの制御基板（図９、図１０では主制御基板１３２）に第１グループの制御基板（図９、図１０では、ランプ制御基板、表示制御基板）を直列に接続している。
なお、図９は、消費電力の小さいランプユニット１３４、消費電力の小さい液晶ユニット１３６を用いる場合の状態を示す図である。また、図１０は、消費電力が大きいランプユニット１４４、消費電力が大きい液晶ユニット１４６を用いる場合の状態を示す図である。
第１グループの制御基板の選択方法については、第４の実施の形態で説明した方法と同様である。すなわち、第１グループの制御基板のいずれかで制御する被制御機器の消費電力に応じて、少なくとも、第１グループの最上流側の制御基板を交換する。
本実施の形態においても、前述した効果を有する。
【００２８】
本発明は、実施の形態で説明した構成に限定されることなく種々の変更、追加、削除が可能である。
例えば、パチンコ機を構成する制御回路は実施の形態で説明した構成に限定されず種々変更可能である。
また、電源基板に設ける電源出力端子、各制御基板に設ける電源入力端子や電源出力端子の数は適宜変更可能である。
また、変換回路として高電圧−低電圧変換回路を用いたが、変換回路としては遊技機の種類や電源回路の構成等に応じて種々の変換回路を用いることができる。例えば、低電圧−高電圧変換回路を用いることができる。
また、各制御基板（制御装置）の構成は、被制御機器に応じて適宜変更可能である。
また、第３、第４の制御基板（例えば、表示制御基板１４、２４あるいは５３、６３）として、第１、第２の制御基板（例えば、表示制御基板３４、４４）を用いることもできる。
また、パチンコ機について説明したが、本発明はパチンコ機以外の種々の遊技機に適用することができる。
【００２９】
また、本発明は、「所定数の電源出力端子、所定数の電源出力端子に少なくとも第１及び第２の電圧の電源を供給する電源回路が設けられた電源基板と、電源入力端子と、遊技機を構成する被制御機器を制御する制御回路が設けられている複数の制御基板とを備え、複数の制御基板は、第１の電圧の電源を用いて被制御機器を制御し、消費電力の異なる被制御機器を制御する第１のグループの制御基板と、それ以外の第２のグループの制御基板に分けられており、電源基板の電源出力端子には第２のグループの制御基板、第１のグループの制御基板の順に直列に接続されており、第１のグループの最上流側の制御基板は、電源入力端子からの第１の電圧の電源をそのまま用いて被制御機器を制御するとともに、第１の電圧の電源を下流側に出力する第５の制御基板と、電源入力端子からの第２の電圧の電源を第１の電圧と同じ電圧の電源に変換する変換回路が設けられており、変換回路からの第１の電圧の電源を用いて被制御機器を制御するとともに、第１の電圧の電源を下流側に出力する第６の制御基板の一方が用いられている遊技機。」として構成することができる。あるいは、「所定数の電源出力端子、所定数の電源出力端子に少なくとも第１及び第２の電圧の電源を供給する電源回路が設けられた電源基板と、電源入力端子と、遊技機を構成する非制御機器を制御する制御回路が設けられている複数の制御基板とを備え、複数の制御基板は、第１の電圧の電源を用いて被制御機器を制御し、消費電力の異なる被制御機器を制御する第１のグループの制御基板と、それ以外の第２のグループの制御基板に分けられており、電源基板の電源出力端子には第２のグループの制御基板が並列に接続されており、第１のグループの制御基板は第２のグループの制御基板のいずれかに直列に接続されており、第１のグループの最上流側の制御基板は、電源入力端子からの第１の電圧の電源をそのまま用いて被制御機器を制御するとともに、第１の電圧の電源を下流側に出力する第５の制御基板と、電源入力端子からの第２の電圧の電源を第１の電圧と同じ電圧の電源に変換する変換回路が設けられており、変換回路からの第１の電圧の電源を用いて被制御機器を制御するとともに、第１の電圧の電源を下流側に出力する第６の制御基板の一方が用いられている遊技機。」として構成することができる。
【００３０】
【発明の効果】
以上説明したように、請求項１〜３に記載の遊技機を用いれば、電源回路（電源装置）のコスト上昇を抑えながら、所定の被制御機器に供給する電源の容量を簡単に増大することができる。また、被制御機器の消費電力の変更に対して最小限の制御基板の変更によって対処することができる。
【図面の簡単な説明】
【図１】第１の実施の形態を説明する図である。
【図２】第１の実施の形態を説明する図である。
【図３】第２の実施の形態を説明する図である。
【図４】第２の実施の形態を説明する図である。
【図５】第３の実施の形態を説明する図である。
【図６】第３の実施の形態を説明する図である。
【図７】第４の実施の形態を説明する図である。
【図８】第４の実施の形態を説明する図である。
【図９】第５の実施の形態を説明する図である。
【図１０】第５の実施の形態を説明する図である。
【符号の説明】
１０、５０  電源基板
１１、５２、１３１  賞球制御基板
１２、５１、１１１、１３２  主制御基板
１３  副制御基板
１４、２４、３４、４４、５３、１１４、１２４、１３５、１４５  表示制御基板
１５、２５、５４、１１５、１２５、１３６、１４６  液晶ユニット
５５  音制御基板
５６  スピーカ
５７、１１２、１２２、１３３、１４３  ランプ制御基板
１１３、１２３、１３４、１４４  ランプユニット
【図１】
0004512757.tif 000002
【図２】
0004512757.tif 000003
【図３】
0004512757.tif 000004
【図４】
0004512757.tif 000005
【図５】
0004512757.tif 000006
【図６】
0004512757.tif 000007
【図７】
0004512757.tif 000008
【図８】
0004512757.tif 000009
【図９】
0004512757.tif 000010
【図１０】
0004512757.tif 000011